(57)【要約】      （修正有）【課題】構造の簡単で電動効率に優れたヒンジ装置を提供する。【解決手段】シャフト１と、前記シャフトに順に嵌装した係合部材２と、固定部材３と、回動装置と、摺動装置と、当接片６と、を含むヒンジ装置において、前記回動装置は、ロック用スイッチ４０と、スプリング４１と、カム機構４２と、回動部材４３とを含み、前記摺動装置は、摺動部材５０とコイルバネ５１とを有し、前記回動部材が前記カム機構と摺動部材との間に位置している。こうして、回動装置と摺動装置が分離状態で配置されるので、ヒンジ装置の回動部品が減少されることにより摩擦損失が減少され、伝動効率が優れることとなる。【選択図】図４
0003138375.tif 000002
【実用新案登録請求の範囲】
【請求項１】
シャフトと、前記シャフトに順に嵌装した係合部材と、固定部材と、回動装置と、摺動装置と、当接片と、を含むヒンジ装置において、
前記回動装置は、ロック用スイッチと、スプリングと、カム機構と、回動部材と、を含み、
前記摺動装置は、摺動部材とコイルバネとを有し、
前記回動部材が前記カム機構と摺動部材との間に位置していることを特徴とするヒンジ装置。
【請求項２】
前記シャフトは、中間部に形成された軸部と、一端に形成されたフランジ部と、他端に形成された頭部とを有することを特徴とする請求項１記載のヒンジ装置。
【請求項３】
前記カム機構の一端が平面であり、他端が第一カム面であり、前記第一カム面は第１凸部と第２凸部を有し、第１凸部及び第２凸部を連接するための連接線によって、前記第１カム面が二部分に区分され、その一部分は、第１凹部と第２凹部と、前記第１凹部及び第２凹部を連接するための第１連接面と、前記第１凸部及び第１凹部を連接するための第１斜面と、第２凸部及び第２凹部を連接するための第２斜面とにより構成され、他の部分は、前記一部分がシャフトの回動軸線を中心として１８０゜回動してから得られることを特徴とする請求項２に記載のヒンジ装置。
【請求項４】
回動部材の両端面は、カム面であり、すなわち、一端が第２カム面であり、他端が第３カム面であることを特徴とする請求項３に記載のヒンジ装置。
【請求項５】
前記回動部材の第２カム面には、第３凸部と第４凸部とが形成され、第３凸部と第４凸部を連接する連接線によって、第２カム面が二部分に区分され、その一部分は、第３凹部と、第４凹部と、前記第３凹部及び第４凹部を連接するための第２連接面と、前記第３凸部及び第３凹部を連接するための第３斜面と、第４凸部及び第４凹部を連接するための第４斜面とにより構成され、他の部分は、前記一部分が前記シャフトの回動軸線を中心として１８０゜回動してから得られることを特徴とする請求項４に記載のヒンジ装置。
【請求項６】
前記回動部材の第３カム面は、対称な両第５凸部と対称な両第５凹部と、前記第５凸部と第５凹部をそれぞれ連接するための第１弧面と第２弧面と、を有し、その中の第１弧面４３２３の中心線がシャフト１の回動軸線Ｌと重なり、回動部材の外側に二つの保持部が前記シャフトの回動軸線方向に沿って配置されることを特徴とする請求項４に記載のヒンジ装置。
【請求項７】
摺動部材は、シャフトに嵌装された円柱体であり、内部に前記シャフトに係合するためのキー溝が形成され、該摺動部材の一端が第４カム面であり、他端が平面であり、前記第４カム面に、対称な両第６凸部と対称な第６凹部と、第６凸部及び第６凹部をそれぞれ連接するための第３弧面と第４弧面とを有することを特徴とする請求項４に記載のヒンジ装置。
【考案の詳細な説明】
【技術分野】
【０００１】
本考案は、二つ折りタイプの携帯電話機の送話側筐体と受話側筐体とを開閉可能に連接するためのヒンジ装置に関するものである。
【背景技術】
【０００２】
従来技術は、図６と図７にように、従来の二つ折りタイプの携帯電話機の送話側筐体と受話側筐体を連接するのに用いられるヒンジ装置１００’は、シャフト１０’と、該シャフト１０’に嵌合し挿通された係止部材２’と固持部材３’と、回動装置４’と、シャフト１０’の回動軸線方向へスライド可能な摺動装置５’と、受話側筐体（図示せず）に連接するための連接部材６’とを有する。前記回動部材４’は、ロック用スイッチ４１’と、スイッチ部材４２’と、回動部材４３’を備え、前記摺動装置５’は摺動部材５１’と、コイルばね５２’と、ワッシャー５３’と、回動ボール５４’とを有する。
【考案の開示】
【考案が解決しようとする課題】
【０００３】
しかしながら、従来のヒンジ装置１００’は、回動装置４’と摺動装置５’がシャフト１０’の回動軸線方向で交互に嵌装されるとともに部品の数量が多いので、摩擦損失が大きくなるとともに伝動効率が低下になる。上述した欠点に鑑みて、新型なヒンジ装置を開発することが必要である。
【０００４】
本考案は、前記の問題点を鑑みなされたもので、構造が簡単で伝動効率に優れたヒンジ装置を提供することを目的とする。
【課題を解決するための手段】
【０００５】
本考案のヒンジ装置は、シャフトと、前記シャフトに順序に嵌装した係合部材と、固定部材と、回動装置と、摺動装置と、当接片と、を含むヒンジ装置において、前記回動装置は、ロック用スイッチと、スプリングと、カム機構と、回動部材と、を含み、前記摺動装置は、摺動部材とコイルバネとを有し、前記回動部材が前記カム機構と摺動部材との間に位置していることを特徴とする。
【考案の効果】
【０００６】
従来技術に比べ、本考案は以下の利点を有し、回動部材が前記カム機構と摺動部材との間に位置するので、即ち回動装置と摺動装置が分離状態で配置されるので、ヒンジ装置の回動部品が減少されることにより摩擦損失が減少され、伝動効率が優れることになっている。また、コイルバネとスプリングが分離状態で配置されるので、部品の小型化に有利で、組付ける操作が簡単になっている。
【考案を実施するための最良の形態】
【０００７】
以下、図１  〜図５を参照すると、本考案のヒンジ装置の好ましい実施形態について、添付図面を参照して説明する。本考案のヒンジ装置１００は、二つ折りタイプの携帯電話機の送話側筐体（図示せず）と受話側筐体（図示せず）とを連接するのに用いられ、シャフト１と、シャフト１に左側から右側まで（図２に示す）の順序に嵌合し挿通される係合部材２と、固持部材３と、回動装置４と、シャフト１の回動軸線方向Ｌへ移動可能な摺動装置５と、当接片６とを含み、前記回動装置４は、ロック用スイッチ４０と、スプリング４１と、カム機構４２と、回動部材４３とを有し、前記摺動装置５は、摺動部材５０と、コイルバネ５１とを有する。また、前記ヒンジ装置１００は前記固持部材３の左端に係合される押圧ボタン７と前記受話側筐体に連接するための連接部材８とも含む。
【０００８】
前記シャフト１は、金属材料により製造され、中間部に形成された軸部１１と、軸部１１の一端に形成される頭部１３と、軸部１１の他端に形成された円板状のフランジ部１２とを含み、軸部１１とフランジ部１２と頭部１３との回動軸線が重なるとともに、フランジ部１２と頭部１３の径が軸部１１の径の寸法より大きくなっている。軸部１１の一端に回動軸線Ｌを中心とする一つの円周上には互い１８０゜離れて配置される一対のキー１１１が設けられ、前記フランジ部１２には一対の係止溝１２１が形成され、且つ該フランジ部１２の軸部１１に連接する箇所に階段面（参照記号なし）が形成される。
【０００９】
係合部材２はフランジ部１２の一対の係止溝１２１に係合することによって、前記シャフト１のフランジ部１２に対して回動不能に嵌装され、フランジ部１２に係合される係合孔２１が形成される。
【００１０】
前記固持部材３は、シャフト１のフランジ１２に嵌装され、前記係合部材２の右端面に当接し、円形状の底板３１と、底板３１から延出するように形成された円周状の側壁（参照記号なし）とを備え、その底板３１の中央に前記フランジ部１２に嵌装された固持孔３２が貫通し形成され、また、固持孔３２に隣接する箇所には対向した凸部３３が形成され、該凸部３３が係合部材２の係合孔２１に係合し、且つ前記係合部材２がシャフト１に対して回動不能に嵌装されることによって、固持部材３がシャフト１に回動不能に嵌装され、且つ底壁３１の内側面が前記階段面に当接している。また、底壁３１には一対の貫通溝３４が対称に形成される。
【００１１】
前記固持部材３の円周状の側壁には、互い１８０゜離れて配置される、側壁の一端から他端まで回動軸線方向Ｌに沿って貫通するように形成された一対の第１キー溝３５と、該一対の第１キー溝３５の間の側壁に形成された四つの第２キー溝３６と、側壁を円周方向に貫通するように形成された互い１８０゜離れて配置されるガイド溝３７とが形成されている。携帯電話の送話側筐体の内周面に複数のキーが形成され、前記送話側筐体のキーが前記第１キー溝３５と第２キー溝３６に嵌装されることにより、固持部材３を送話側筐体に固持させ、更に、シャフト１が送話側筐体に対して固持される。
【００１２】
ロック用スイッチ４０は、シャフト１の軸部１１に回動可能で回動軸線方向Ｌに沿って移動可能に嵌装され、円板状の基部４０１と、基部４０１の中央に形成された中央孔４０２と、基部４０１から回動軸線Ｌを中心とする一つの円周上に互い１８０゜離れて配置される一対の錠止部４０３が延出するように形成され、錠止部４０３が前記固持部材３のガイド溝３７に移動可能に収容されている。
【００１３】
カム機構４２の一端は、回動軸線を中心とする同心の第１円柱体４２０と第２円柱体４２１からなり、第１円柱体４２０の径が第２円柱体４２１より大きくなっている。前記第１円柱体４２０は、前記ロック用スイッチ４０に隣接し配置され、前記錠止部４０３を収容するための第１通孔４２０１が形成される。第２円柱体４２１に前記スプリング４１を収容するための第２通孔４２１０と、前記シャフト１の軸部１１に回動可能に、且つ移動可能に嵌合する第３通孔４２１１と、が形成される。前記第１通孔４２０１と、第２通孔４２１０と第３通孔４２１１との中心線が前記回動軸線Ｌに重なり、且つ通孔の径が順に減少して、第１円柱体４２０には円周方向に１８０゜間隔で二つの凹溝４２２が径方向で貫通するように形成される。
【００１４】
カム機構４２の他端は、カム面すなわち第１カム面４２３であり、該第１カム面４２３は、第１凸部４２３１と第２凸部４２３２とを形成している。第１凸部４２３１と第２凸部４２３２を連接する連接線によって、第１カム面４２３が二部分に区分され、その一部分は、第１凹部４２３３と、第２凹部４２３４と、前記第１凹部４２３３及び第２凹部４２３４を連接するための第１連接面４２３５と、前記第１凸部４２３１及び第１凹部４２３３を連接するための第１斜面４２３６と、第２凸部４２３２及び第２凹部４２３４を連接するための第２斜面４２３７とにより構成される。他の部分は、前記一部分が回動軸線Ｌを中心として１８０゜回動してから得られる。
【００１５】
前記スプリング４１は、前記シャフト１に嵌装され、一端が前記ロック用スイッチ４０の錠止部４０３の内面に当接し、他端がカム機構４２の第２通孔４２１０及び第２通孔４２１１の連接箇所に形成された階段面に当接している。
【００１６】
回動部材４３はシャフト１の軸部１１に嵌装される円柱体であり、両端面がカム面であり、すなわち、一端が第２カム面４３１であり、他端が第３カム面４３２である。該第２カム面４３１は、第３凸部４３１１と第４凸部４３１２とを形成している。第３凸部４３１１と第４凸部４３１２を連接する連接線によって、第２カム面４３１が二部分に区分され、その一部分は、第３凹部４３１３と、第４凹部４３１４と、前記第３凹部４３１３及び第４凹部４３１４を連接するための第２連接面４３１５と、前記第３凸部４３１１及び第３凹部４３１３を連接するための第３斜面４３１６と、第４凸部４３１２及び第４凹部４３１４を連接するための第４斜面４３１７とにより構成される。他の部分は、前記一部分が回動軸線Ｌを中心として１８０゜回動してから得られる。
【００１７】
第３カム面４３２は、対称な両第５凸部４３２１と対称な両第５凹部４３２２と、前記第５凸部４３２１と第５凹部４３２２をそれぞれ連接するための第１弧面４３２３と第２弧面４３２４と、を有する。その内、第１弧面４３２３の中心線はシャフト１の回動軸線Ｌと重なり、即ち、第１弧面４３２３によって連接する第５凸部４３２１と第５凹部４３２２が円周方向に１８０゜間隔で配置される。回動部材４３の外側に二つの保持部４３３が回動軸線Ｌ方向に沿って配置される。
【００１８】
摺動部材５０は、シャフト１の軸部１１に嵌装される円柱体であり、内部に前記シャフト１のキー１１１に係合するためのキー溝５１０が形成され、前記キー１１１がキー溝５１０に係合することによって、前記摺動部材５０はシャフトに回動不能に嵌装される。摺動部材５０は、一端が第４カム面５２であり、他端が平面である。第４カム面５２は回動部材４３の第３カム面４３２に対応し、対称な両第６凸部５２１と対称な第６凹部５２２と、第６凸部５２１及び第６凹部５２２をそれぞれ連接するための第３弧面５２４と第４弧面５２５とを有する。
【００１９】
コイルバネ５１は、シャフト１の軸部１１に嵌装され、一端が摺動部材５０に当接し、他端が当接片６に当接している。
【００２０】
当接片６はシャフト１の頭部１３に保持され、中央部には、前記頭部１３に嵌装されるための装着孔６１が形成される。
【００２１】
押圧ボタン７は、平板部７１と、前記平板部７２を固持部材３の一対の貫通溝３４にそれぞれ係合させるための操作部７２とを有する。
【００２２】
連接部材８は、携帯電話機の受話側筐体に連接するのに用いられ、前記回動部材４３の保持部４３３にそれぞれ係合するための両係合部８１が形成される。
【００２３】
組み立てる際においては、まず、連接部材８を前記シャフト１の一端の頭部１３に嵌装させ、当接片６を連接部材８の外端に当接させるように前記頭部１３に嵌装させる。次に、シャフト１の軸部１１に、前記シャフト１の他端から前記コイルバネ５１と、摺動部材５０と、回動部材４３と、カム機構４２と、スプリング４１と、ロック用スイッチ４０を順に嵌装させる。この時、前記連接部材８は前記コイルバネ５１と、摺動部材５０と、回動部材４３と、カム機構４２を覆っている。最後に、固定部材３と係合部材２をシャフト１のフランジ部１２に回動不能に嵌装させる。固定部材３が送話側筐体に係合すると共に、連接部材８が受話側筐体に係合することによって、組み立て上げたヒンジ装置１００は携帯電話機の受話側筐体と送話側筐体の連接箇所に取付けられる。
【００２４】
携帯電話機が使用されていない状態即ち閉鎖状態では、前記送話側筐体と受話側筐体は互いに重なり合った二つ折りの状態である。前記コイルバネ５１が圧縮されるとともに摺動部材５０の右端を押圧し、回動部材４３の第２カム面４３１の第３斜面４３１６がカム機構４２の第１カム面４２３の第１斜面４２３６に入り込んで係合し、同時に、第３カム面４３２の第２弧面４３２４が摺動部材５０の第４カム面５２の第４弧面５２５に入り込んで係合する。ロック用スイッチ４０の錠止部４０３の一部分が固定部材３のガイド溝３７に係合し、他の部分がカム機構４２の凹溝４２２に係合し、前記固定部材３が受話側筐体に対して固定されることで、この状態で前記回動部材４３がシャフト１に回動不能に嵌装される。
【００２５】
ヒンジ装置１００が自動方式及び手で操作する方式により、前記送話側筐体と受話側筐体を開放させる。
【００２６】
以下、自動方式により携帯電話機を開放することについて説明する。携帯電話機の閉鎖状態では、前記コイルバネ５１が圧縮されており、外力で押圧ボタン７を押圧すると、押圧ボタン７を介して前記ロック用スイッチ４０がカム機構４２の凹溝４２２に入り込むとともに固定部材３との係合が解除され、スプリング４１が圧縮される。この時、前記摺動部材５０がコイルバネ５１の押圧により回動軸線Ｌ方向に沿って移動し、更に、回動部材４３を回動させる。回動部材４３の保持部４３３が前記連接部材８の係合部８１に係合し、連接部材８が受話側筐体に連接するので、回動部材４３の回動動作に従って受話側筐体を回動させ、携帯電話機の開放状態にする。この時、回動部材４３の回動操作により、カム機構４２がシャフト１に対して回動すると共にロック用スイッチ４０がシャフト１の回動軸線Ｌとする中心で回動し、ロック用スイッチ４０が携帯電話機の閉鎖状態に対して１８０゜回動する時に、この時に、圧縮されたスプリング４１により固定部材３のガイド溝３７に入り込んで、回動部材４３の第３カム面４３２の第１弧面４３２３は摺動部材５０の第４カム面５２の第３弧面５２４に当接する。
【００２７】
以下、手で携帯電話機を開放することについて説明する。手で携帯機電話の受話側筐体を開放し、前記受話側筐体に連接した連接部材８により回動部材４３をシャフト１を中心として回動させる。この過程において、固定部材３によりロック用スイッチ４０がシャフト１に回動不能に嵌装することで、カム機構４２がシャフト１に回動不能に嵌装され、また、第２カム面４３１の第３斜面４３１６が摺動部材５０の第４弧面５２５に沿って摺動することで、回動部材４３がシャフト１の回動軸線Ｌ方向に沿って移動可能になる。この時、回動部材４３の第３カム面４３２の第２弧面４３２４が摺動部材５０の第４カム面５２の第４弧面５２５に沿って摺動し、摺動部材５０がシャフト１のキー１１１により回動不能に嵌装するので、コイルバネ５１により回動軸線Ｌ方向に沿って移動するだけである。以上、各部分の運動方式は、固定部材３と、シャフト１と、ロック用スイッチ４０と、カム気候４２とが不動で、回動部材４３がシャフト１のフランジ部１２の方向へ向いて移動するとともに回動軸線Ｌを中心として回動し、摺動部材５０はシャフト１の頭部１３に向いた方向に移動できる。
【００２８】
回動部材４３が前記カム機構４２と摺動部材５０との間に位置するので、即ち回動装置４と摺動装置５が分離状態で配置されるので、ヒンジ装置１の回動部品が減少されることにより摩擦損失が減少され、伝動効率が優れることになっている。また、コイルバネ５１とスプリング４１が分離状態で配置されるので、部品の小型化に有利で、組付けた操作が簡単になっている。
【００２９】
以上本考案について最良の実施の形態を参照して詳細に説明したが、実施形態はあくまでも例示的なものであり、これらに限定されるものではない。また上述の説明は、本考案に基づきなしうる細部の修正或は変更など、いずれも本考案の請求範囲に属するものとする。
【図面の簡単な説明】
【００３０】
【図１】本考案に係るヒンジ装置の組立斜視図である。
【図２】図１に示すヒンジ装置のＩＩ−ＩＩ線に沿っての断面図である。
【図３】本考案に係るヒンジ装置が連接部材を外れた組立斜視図である。
【図４】本考案に係るヒンジ装置が連接部材を外れた分解斜視図である。
【図５】図４に示すヒンジ装置の他の角度から見た分解斜視図である。
【図６】従来技術のヒンジ装置の分解斜視図である。
【図７】従来技術のヒンジ装置の部分の分解斜視図である。
【符号の説明】
【００３１】
１００  ヒンジ装置
１  シャフト
２  係合部材
３  固持部材
４  回動装置
５  摺動装置
６  当接片
７  押圧ボタン
８  連接部材
１１  軸部
１２  フランジ部
１３  頭部
２１  係合孔
３１  底壁
３２  固持孔
３３  凸部
３４  貫通溝
３５  第１キー溝
３６  第２キー溝
３７  ガイド溝
４０  ロック用スイッチ
４１  スプリング
４２  カム
４３  回動部材
５０  摺動部材
５１  コイルバネ
５２  第４カム面
６１  装着孔
７１  平板部
７２  操作部
８１  係合部
１１１  キー
１２１  係止溝
４０１  基部
４０２  中央孔
４０３  錠止部
４２０  第１円柱体
４２１  第２円柱体
４２２  凹溝
４２３  第１カム面
４３１  第２カム面
４３２  第３カム面
４３３  保持部
５１０  キー溝
５２１  第６凸部
５２２  第６凹部
５２４  第３弧面
５２５  第４弧面
４２０１  第１通孔
４２１０  第２通孔
４２１１  第３通孔
４２３１  第１凸部
４２３２  第２凸部
４２３３  第１凹部
４２３４  第２凹部
４２３５  第１連接面
４２３６  第１斜面
４２３７  第２斜面
４３１１  第３凸部
４３１２  第４凸部
４３１３  第３凹部
４３１４  第４凹部
４３１５  第２連接面
４３１６  第３斜面
４３１７  第４斜面
４３２１  第５凸部
４３２２  第５凹部
４３２３  第１弧面
４３２４  第２弧面
【図１】
0003138375.tif 000003
【図２】
0003138375.tif 000004
【図３】
0003138375.tif 000005
【図４】
0003138375.tif 000006
【図５】
0003138375.tif 000007
【図６】
0003138375.tif 000008
【図７】
0003138375.tif 000009